(57)【要約】【課題】磁気ディスク装置における再生ヘッドの異常検出も可能であり、またモード変更による動作回復時間の高速化も可能にする。【解決手段】待機モード時は再生アンプ部１１全てが非動作状態でＳＷ１及びＳＷ２もオフ状態であり、再生ヘッド１９のバイアス電流はゼロであり、再生ヘッド端子の電圧もゼロである。ＳＷ３は待機モード時にオンしコンデンサＣ１に再生モード時のＢ点電圧を電圧源２６で生成し与える。動作モードが切り替わりＳＷ２がオンし、再生ヘッド１９に電流が印加され再生ヘッド端子の電圧とＢ点電位は定常値に回復。ＳＷ３はモードの切り替わりでオフとなり、コンデンサＣ１とｇｍアンプ１８の接続点のＡ点電位は、電圧源２６の電圧からスタートする。パルス発生器２５はモード変化後パルスを出力しＳＷ１を制御し、一定時間ｇｍ値を変化させｇｍアンプ１８とコンデンサＣ１で決まるＬＰＦの時定数を変化させアンプ１７の追従性を上げる。Ａ点電位がＢ点電位に近づきアンプ１７の入力ダイナミックレンジ内に入れば動作して再生信号が出力される。【選択図】図５
2005190549.tif 000002
【特許請求の範囲】
【請求項１】
磁気抵抗効果型磁気ヘッドである再生ヘッドにバイアス電流を与えるため再生ヘッド端子と他端を接続する一端が電源に接続された電流源と、前記再生ヘッド端子と一方の入力端を接続した前記再生ヘッドからの出力信号を増幅するアンプと、前記再生ヘッド端子と一方の入力端を接続し、他方の入力端と出力端と前記再生ヘッド端子の電圧レベルを帰還するため前記アンプの他方の入力端とを接続したコンダクタンス（以下、ｇｍという）アンプと、前記ｇｍアンプの出力端と接続され他端を接地したコンデンサとを備えたことを特徴とする磁気ディスク装置。
【請求項２】
磁気抵抗効果型磁気ヘッドである再生ヘッドにバイアス電流を与えるため再生ヘッド端子と他端を接続する一端が電源に接続された電流源と、前記再生ヘッド端子とアノードを接続し、通常状態における前記再生ヘッド端子の電圧を上限クランプ処理および前記再生ヘッドが開放状態時には前記電流源の電流を吸収して前記再生ヘッド端子の電圧を固定電圧として回路の飽和防止するカソードを接地したダイオードと、前記再生ヘッド端子と一方の入力端を接続し、前記再生ヘッドが開放状態時を検出するため任意の閾値電圧を持つ電圧源を他方の入力端に接続したコンパレータとを備えたことを特徴とする請求項１記載の磁気ディスク装置。
【請求項３】
磁気抵抗効果型磁気ヘッドである再生ヘッドにバイアス電流を与えるため一端が電源に接続された電流源と、前記再生ヘッド端子と前記電流源との間に前記再生ヘッド端子電圧のレベルシフトを行う直列接続した第１，第２のダイオードと、前記電流源と前記第１のダイオードとの接続点に一方の入力端を接続した前記再生ヘッドからの出力信号を増幅するアンプと、前記電流源と前記第１のダイオードとの間に一方の入力端を接続し、他方の入力端と出力端と前記再生ヘッド端子の電圧レベルを帰還するため前記アンプの他方の入力端とを接続したｇｍアンプと、前記ｇｍアンプの出力端と接続する他端を接地したコンデンサとを備えたことを特徴とする磁気ディスク装置。
【請求項４】
前記再生ヘッドにバイアス電流を与えるため一端が電源に接続された第１の電流源と、ｇｍアンプに接続したｇｍ値を決定するために他端が接地された第２の電流源と、前記ｇｍアンプと前記第２の電流源との接続点に第１のスイッチを介して接続した他端が接地された第３の電流源と、前記第１の電流源と第１のダイオードとの間にモードコントロール信号によってオン／オフ制御を行う第２のスイッチと、前記モードコントロール信号からモード切り替えパルスを発生して前記第１のスイッチをオン／オフ制御するパルス発生器とを備え、低消費電力化を図る待機モードからのモード切り替え時に回路動作の高速な回復時間を得ることを特徴とする請求項３記載の磁気ディスク装置。
【請求項５】
前記ｇｍアンプの他方の入力端と出力端とアンプの他方の入力端とを接続した接続点に、待機モード時に予め想定された任意の電圧を印加する他端が接地された電圧源を接続する第３のスイッチを備え、前記第３のスイッチのオン／オフ制御をモードコントロール信号で行って、低消費電力化を図る待機モードからのモード切り替え時に回路動作の高速な回復時間を得ることを特徴とする請求項４記載の磁気ディスク装置。
【発明の詳細な説明】
【技術分野】
【０００１】
本発明は、磁気抵抗効果（ＭＲ，ＧＭＲ）型磁気ヘッドを用いた磁気ディスク装置に係り、信号再生アンプ回路及び再生ヘッド異常検出器を有する磁気ディスク装置に関するものである。
【背景技術】
【０００２】
図７に従来例における磁気ディスク装置の概略構成図を示す。図７において、２は電流源、４はアンプ、６は電圧源、９は再生ヘッドである。再生ヘッド９にバイアス電流を与えるための一端が電源に接続された電流源２が再生ヘッド端子側に接続され、再生ヘッド端子側ではＤＣカットを目的としたコンデンサＣ２の一端が接続され、再生ヘッド９の接地側にもアンプ４入力のバランスを考慮してコンデンサＣ３の一端が接続され、コンデンサＣ２及びコンデンサＣ３の他端間に抵抗Ｒ１及び抵抗Ｒ２が直列接続され、抵抗Ｒ１と抵抗Ｒ２の接続点にはバイアス電圧を与えるための電圧源６が接続される。
【０００３】
また、コンデンサＣ２と抵抗Ｒ１の接続点はアンプ４の一方の入力端に接続され、アンプ４の他方の入力端にはコンデンサＣ３と抵抗Ｒ２の接続点に接続され、アンプ４で増幅された信号が出力端子に出力される。
【０００４】
以下に図７に示す従来の構成における磁気ディスク装置の動作を説明する。再生ヘッド９より入力された再生信号は、再生ヘッド端子側のコンデンサＣ２と抵抗Ｒ１で構成されるハイパスフィルタを通してアンプ４の一方の入力端に入力され、ＤＣレベルは電圧源６で与えられる電圧を基準レベルとして、再生ヘッド９より入力されたＡＣ信号がアンプ４に入力されることになる。また再生ヘッド９の接地側もバランスをとるために再生ヘッド端子側と同様の構成として、コンデンサＣ３と抵抗Ｒ２で構成されるハイパスフィルタを通してアンプ４の他方入力端に入力されるが、こちらは接地側入力であるためＤＣレベルとなりバイアス電圧は電圧源６により与えられる電圧で決定される。
【発明の開示】
【発明が解決しようとする課題】
【０００５】
しかしながら、このような構成の磁気ディスク装置では、再生ヘッド端子電圧のＤＣレベルに依存しないという利点はあるもののコンデンサＣ２と抵抗Ｒ１で構成されるハイパスフィルタの周波数特性である時定数を低くしなければならず、コンデンサの値を非常に大きくすることになり集積回路においては非常に大きな面積を必要として、特にチャンネル数と同数必要となるためチップ面積が非常に大きくなるという課題があった。
【０００６】
本発明は、前記従来技術の課題を解決することに指向するものであり、さらに再生ヘッドの異常検出も可能であり、モード変更による動作回復時間の高速化も可能にする磁気ディスク装置を提供することを目的とする。
【課題を解決するための手段】
【０００７】
この目的を達成するために、本発明に係る請求項１に記載した磁気ディスク装置は、磁気抵抗効果型磁気ヘッドである再生ヘッドにバイアス電流を与えるため再生ヘッド端子と他端を接続する一端が電源に接続された電流源と、再生ヘッド端子と一方の入力端を接続した再生ヘッドからの出力信号を増幅するアンプと、再生ヘッド端子と一方の入力端を接続し、他方の入力端と出力端と再生ヘッド端子の電圧レベルを帰還するためアンプの他方の入力端とを接続したｇｍアンプと、ｇｍアンプの出力端と接続され他端を接地したコンデンサとを備えた構成によって、ｇｍアンプとコンデンサによる再生ヘッド端子電圧のＤＣレベルをアンプの他方の入力端に基準レベルとしてフィードバックすることにより、アンプに再生ヘッドのＤＣレベルに合うように帰還をかけることができる。
【０００８】
また、請求項２に記載された磁気ディスク装置は、請求項１の磁気ディスク装置であって、磁気抵抗効果型磁気ヘッドである再生ヘッドにバイアス電流を与えるため再生ヘッド端子と他端を接続する一端が電源に接続された電流源と、再生ヘッド端子とアノードを接続し、通常状態における再生ヘッド端子の電圧を上限クランプ処理および再生ヘッドが開放状態時には電流源の電流を吸収して再生ヘッド端子の電圧を固定電圧として回路の飽和防止するカソードを接地したダイオードと、再生ヘッド端子と一方の入力端を接続し、再生ヘッドの開放状態時を検出するため任意の閾値電圧を持つ電圧源を他方の入力端に接続したコンパレータとを備えた構成によって、再生ヘッドが開放状態の異常時にも、このダイオードにバイアス電流を流すことで再生ヘッド端子の電圧をあるレベルに固定し、さらにコンパレータによりそのレベルを比較して簡単に異常検出器を構成できる。
【０００９】
また。請求項３に記載された磁気ディスク装置は、磁気抵抗効果型磁気ヘッドである再生ヘッドにバイアス電流を与えるため一端が電源に接続された電流源と、再生ヘッド端子と電流源との間に再生ヘッド端子電圧のレベルシフトを行う直列接続した第１，第２のダイオードと、電流源と第１のダイオードとの接続点に一方の入力端を接続した再生ヘッドからの出力信号を増幅するアンプと、電流源と第１のダイオードとの間に一方の入力端を接続し、他方の入力端と出力端と再生ヘッド端子の電圧レベルを帰還するためアンプの他方の入力端とを接続したｇｍアンプと、ｇｍアンプの出力端と接続する他端を接地したコンデンサとを備えた構成によって、再生ヘッド端子とバイアス電流用の電流源との間にダイオードを直列接続することでＤＣレベルをシフトしアンプの入力ダイナミックレンジを確保できる。
【００１０】
また、請求項４，５に記載された磁気ディスク装置は、請求項３記載の磁気ディスク装置であって、再生ヘッドにバイアス電流を与えるため一端が電源に接続された第１の電流源と、ｇｍアンプに接続したｇｍ値を決定するために他端が接地された第２の電流源と、ｇｍアンプと第２の電流源との接続点に第１のスイッチを介して接続した他端が接地された第３の電流源と、第１の電流源と第１のダイオードとの間にモードコントロール信号によってオン／オフ制御を行う第２のスイッチと、モードコントロール信号からモード切り替えパルスを発生して第１のスイッチのオン／オフ制御するパルス発生器とを備え、低消費電力化を図る待機モードからのモード切り替え時に回路動作の高速な回復時間を得ること、さらに、ｇｍアンプの他方の入力端と出力端とアンプの他方の入力端とを接続した接続点に、待機モード時に予め想定された任意の電圧を印加する他端が接地された電圧源を接続する第３のスイッチを備え、第３のスイッチのオン／オフ制御をモードコントロール信号で行って、低消費電力化を図る待機モードからのモード切り替え時に回路動作の高速な回復時間を得ることを特徴とする。ｇｍアンプをモード切り替え時にある時間可変するパルス発生器を付加し、さらにｇｍアンプに電流源と第１のスイッチを接続し低消費電力等の待機モードから再生モードへの変化時に回路動作の回復時間高速化を実現し、アンプの基準側入力を回復後に想定される電圧レベルに待機モード時に固定する第３のスイッチと電圧源によりアンプの他方の入力端（基準側）に与え、待機モードからのモード変化時に基準側の変化量を小さくし、さらなる回路動作の回復時間高速化を実現できる。
【発明の効果】
【００１１】
以上説明したように、本発明によれば、ｇｍアンプとコンデンサを用いて再生ヘッド端子の電圧（ＤＣレベル）をアンプの基準側（他方の入力端）へフィードバックする構成とし、さらに待機モード等からのモード切り替え時にｇｍアンプのｇｍ値を任意の時間だけ変化させることで回路動作の回復時間を高速化でき、また、再生ヘッドが開放状態等の異常時、ダイオードにバイアス電流を流して再生ヘッド端子の電圧をあるレベルに固定し、このレベルをコンパレータで比較して再生ヘッドの異常を検出できるという効果を奏する。
【発明を実施するための最良の形態】
【００１２】
以下、図面を参照して本発明における実施の形態を詳細に説明する。
【００１３】
図１は本発明の実施の形態１における磁気ディスク装置の概略構成を示す図である。図１において、１１は再生アンプ部、１２は電流源、１３は異常検出器、１４はコンパレータ、１５はダイオード、１６は電圧源、１７はアンプ、１８はｇｍアンプ、１９は再生ヘッド、またＣ１はアンプの応答性を決める要因の一つであるコンデンサである。
【００１４】
図１に示す磁気ディスク装置は、再生ヘッド１９にバイアス電流を与えるための一端が電源に接続された電流源１２が再生ヘッド端子に接続され、再生ヘッド端子には再生ヘッド異常検出器１３と、再生ヘッド１９からの出力信号を増幅することを目的とするアンプ１７の一方の入力端およびｇｍアンプ１８の一方の入力端が接続される。
【００１５】
また、アンプ１７の他方の入力端は、再生ヘッド端子の電圧レベルをアンプ１７の他方の入力端にフィードバックすることを目的とするｇｍアンプ１８の他方の入力端及びｇｍアンプ１８の出力端及び他端が接地されたコンデンサＣ１の一端に接続された構成を有する。
【００１６】
以上のように構成された本実施の形態１の磁気ディスク装置における再生アンプ部ついて、以下その動作を説明する。電流源１２によるバイアス電流は再生ヘッド１９に流れると同時に、再生ヘッド端子には再生ヘッド１９で読み出された信号が電圧入力される。この再生信号をアンプ１７で増幅するがアンプ１７の基準側電圧はｇｍアンプ１８とコンデンサＣ１によって構成されるＤＣフィードバック回路によって決定され、再生ヘッド電圧のＤＣレベルに合うように帰還がかかり自動調整される。
【００１７】
ｇｍアンプ１８はアンプ１７の２入力端の電圧差を比較しそのレベルに応じてコンデンサＣ１に充放電を行うことによってＤＣフィードバックを実現しているが、応答性はｇｍアンプ１８のｇｍ値とコンデンサＣ１の容量値によって決定され、Ｌow Ｐass Ｆilter（以下、ＬＰＦという）であり積分器である。このようにアンプ１７の基準側電圧は再生ヘッド端子電圧に応じて決定され信号が増幅される。
【００１８】
また、図１に示す磁気ディスク装置の再生ヘッドの異常検出器について、以下その動作を説明する。図１に示すように、再生ヘッド１９にバイアス電流を与えるための電流源１２が接続された再生ヘッド端子と接続される再生ヘッドの異常検出器１３は、ダイオード１５と電圧源１６及びコンパレータ１４により構成される。再生ヘッド端子にはカソードが接地されたダイオード１５とコンパレータ１４の一方の入力端が接続され、コンパレータの他方の入力端には任意の電圧レベルを持つ電圧源１６が接続された構成である。
【００１９】
電流源１２によるバイアス電流Ｉbiasは通常すべて再生ヘッド１９に流れ再生ヘッド端子の電圧Ｖheadは再生ヘッド１９の抵抗値をＲmrとすると（数１）となり、
【００２０】
【数１】
2005190549.tif 000003
一般的にはダイオード電圧を超えるほどの電圧にはならない。再生ヘッド１９が何らかの異常で開放状態となったとき、電流Ｉbiasはダイオード１５に流れ再生ヘッド端子の電圧はダイオード電圧となる。もし再生ヘッド端子の電圧が通常時でもダイオード電圧を超えるようであればダイオード１５をもうひとつ直列接続する必要がある。この再生ヘッド端子の電圧を任意の電圧源１６の電圧Ｖthとコンパレータ１４により比較することで、再生ヘッド１９の異常である開放状態を検出することが可能であり異常という情報を伝達することができる。
【００２１】
図２は本発明の実施の形態２における磁気ディスク装置の概略構成を示す図である。図２において、１１は再生アンプ部、１２は電流源、１３は異常検出器、１４はコンパレータ、１５はダイオード、１６は電圧源、１７はアンプ、１８はｇｍアンプ、１９は再生ヘッド、またＣ１はアンプの応答性を決める要因の一つであるコンデンサである。
【００２２】
図２に示す磁気ディスク装置は、再生ヘッド１９にバイアス電流を与えるための一端が電源に接続された電流源１２と再生ヘッド端子との間に再生ヘッド端子の電圧のレベルシフトを目的としたダイオード２１とダイオード２２が直列接続され、電流源１２とダイオード２１の接続点に再生ヘッド１９からの出力信号を増幅することを目的とするアンプ１７の一方の入力端およびｇｍアンプ１８の一方の入力端が接続され、アンプ１７の他方の入力端はｇｍアンプ１８の他方の入力端と出力端に接続され、さらにコンデンサＣ１に接続された構成である。
【００２３】
以上のように構成された本実施の形態２における磁気ディスク装置の再生アンプ部について、以下にその動作を説明する。電流源１２によるバイアス電流は、２つの直列接続のダイオード２１，２２を通して再生ヘッド１９に流れると同時に、再生ヘッド端子には再生ヘッド１９で読み出された信号が電圧入力される。この再生信号は低いＤＣレベルを持つ信号のため前述の実施の形態１のとおり回路を構成することが、回路の飽和という観点から非常に難しくなる場合がある。
【００２４】
このために、このＤＣレベルを回路設計し易いレベルにシフトすることを目的として、２つの直列接続されたダイオード２１，２２によりレベルシフトされた再生信号がアンプ１７に入力され増幅される。アンプ１７の基準側電圧は、ｇｍアンプ１８とコンデンサＣ１によって構成されるＤＣフィードバック回路により決定され、再生ヘッド１９の電圧のＤＣレベルに等しくなるように帰還がかかり自動調整される。ｇｍアンプ１８はアンプ１７の２入力端の電圧差を比較し、そのレベルに応じてコンデンサＣ１に充放電を行うことによりＤＣフィードバックを実現しているが、応答性はｇｍアンプ１８のｇｍ値とコンデンサＣ１の容量値によって決定され、この構成はＬＰＦであり積分器である。
【００２５】
また、２段の直列接続されたダイオード２１，２２は前述に説明しているように、電圧クランプを目的とするものではなくレベルシフトを目的としているためアンプ１７の基準側電圧は再生ヘッド端子の電圧に応じて決定され信号が増幅される。
【００２６】
図３は本発明の実施の形態３における磁気ディスク装置の概略構成を示す図である。図３において、１１は再生アンプ部、１２，２３，２４は電流源、１３は異常検出器、１４はコンパレータ、１５はダイオード、１６は電圧源、１７はアンプ、１８はｇｍアンプ、１９は再生ヘッド、２５はモード切り替え時のパルス発生器、またＣ１はアンプの応答性を決める要因の一つであるコンデンサである。
【００２７】
図３に示す磁気ディスク装置は、待機モードを持つなどモード切り替えによって低消費電力化を必要とし、かつモード切り替え時の回路動作回復時間の高速性が要求される磁気ディスク装置において、電流源１２とダイオード２１の間にモードによって電流源１２のオン／オフ制御を行う第２のスイッチ（以下、ＳＷ２という）が接続され、また、ｇｍアンプ１８には、ｇｍ値を決定するための他端が接地された電流源２４と、第１のスイッチ（以下、ＳＷ１という）を介してＳＷ１の他端と他端が接地された電流源２３が接続され、ＳＷ１のオン／オフ制御を行うためにモードコントロール信号からのモード切り替え時にパルスを発生するパルス発生器２５を備えた構成である。
【００２８】
以上のように構成された本実施の形態３の磁気ディスク装置の再生アンプ部について、以下にその動作を説明する。モードコントロール信号入力によって制御される待機（低消費電力）モード時は、再生アンプ部１１全てが非動作状態であり、ＳＷ１及びＳＷ２もオフ状態で各電流源電流も流れていない状態とする。このときは、再生ヘッド１９のバイアス電流はゼロであり再生ヘッド端子の電圧もゼロであり同時にコンデンサＣ１の電荷もゼロである。
【００２９】
次に、モードコントロール信号入力が切り替わり動作モードに入ると、ＳＷ２はオン状態になり再生ヘッドに電流が印加され再生ヘッド端子の電圧および図３中Ｂ点の電位は定常値に回復する。このＢ点の定常値の電圧Ｖbは（数２）で表される。
【００３０】
【数２】
2005190549.tif 000004
モード切り替えのパルス発生器２５は、モード変化後任意のパルス幅を持ったパルスを出力してＳＷ１を制御する。これにより一定時間ｇｍ値を変化させｇｍアンプ１８とコンデンサＣ１で決まるＬＰＦの時定数を変化させアンプ１７の基準側入力電圧の追従性を上げている。また、図３中Ａ点の電位の簡易的な応答性ｔｄは（数３）で表される。
【００３１】
【数３】
2005190549.tif 000005
図３中Ａ点の電位がＢ点の電位に近づきアンプ１７の入力ダイナミックレンジ内に入れば通常アンプとして動作し再生信号が出力される。
【００３２】
図４は本実施の形態３における各信号の波形を示すタイミングチャートである。図４において、波形（ａ）はモードコントロール信号でありＳＷ１及びＳＷ２がオフ状態からオン状態への変化、すなわちあるモードから再生モードへのモード変化を表している。波形（ｂ）はパルス発生器２５の出力であり図３におけるＣ点の波形を表しており、波形（ａ）のモード切り替え信号のモード切り替え時に任意に設定された時間ｔｒだけパルスを発生させるものでありエッジ検出である。
【００３３】
波形（ｃ）は再生ヘッドバイアス電流でありモード切り替わり時即座に切り替わる。波形（ｄ）はｇｍアンプ１８のｇｍ値を決定するための電流Ｉgmであり波形（ｂ）がＨｉｇｈレベルの区間、すなわちモードが切り替わってから時間ｔｒの間ＩgmはＩ２＋Ｉ３の電流値となりｇｍ値を変化させることで、ｇｍアンプ１８とコンデンサＣ１で決まる応答速度を早めて再生回路の回復時間を短くしている。このような制御によって得られるアンプ１７の入力の波形、すなわち図３におけるＡ点及びＢ点の波形（ｅ）に示す。
【００３４】
Ｂ点の電位は波形（ｃ）に示す再生ヘッドバイアス電流の応答と同様に即座に回復し再生信号が入力される。ただし、図４のタイミングチャートにおける再生信号は単純化のため正弦波としている。Ａ点の電位は前述にも示すようにｇｍアンプ１８とコンデンサＣ１によって決定され波形（ｅ）に示すような波形となり（数４）で表す回復時間ｔｄ１の特性となる。
【００３５】
【数４】
2005190549.tif 000006
ここで仮にＩgmがＩ３のままで、Ｉ２の加算（ＳＷ１のオフ状態）が無いときのＡ点の応答波形の概念を波形（ｅ）の点線に示すとおり非常に回復が遅くなる。波形（ｆ）はＡ点及びＢ点の入力を受けてのアンプ１７の出力であり、Ａ点の電位がアンプ１７の入力ダイナミックレンジ内にまで回復すると信号は出力される。
【００３６】
図５は本発明の実施の形態４における磁気ディスク装置の概略構成を示す図である。図５において、１１は再生アンプ部、１２，２３，２４は電流源、１３は異常検出器、１４はコンパレータ、１５はダイオード、１６は電圧源、１７はアンプ、１８はｇｍアンプ、１９は再生ヘッド、２５はモード切り替え時のパルス発生器、またＣ１はアンプの応答性を決める要因の一つであるコンデンサである。
【００３７】
本実施の形態４に記載の磁気ディスク装置においては、さらなる高速性が要求される磁気ディスク装置において、ｇｍアンプ１８の他方の入力端とｇｍアンプ１８の出力端とアンプ１７の他方の入力端及びコンデンサＣ１の接続点に、待機モード時に予め想定される任意の電圧を印加しておくことを目的とした第３のスイッチ（以下、ＳＷ３という）が接続され、ＳＷ３の他端は他端が接地された予め想定される任意の電圧を持つ電圧源２６が接続され、このＳＷ３のオン／オフ制御はモードコントロール信号によって行われる構成である。
【００３８】
以上のように構成された本実施の形態４の磁気ディスク装置の再生アンプ部について、以下のその動作を説明する。モードコントロール信号入力によって制御された待機（低消費電力）モード時は再生アンプ部１１全てが非動作状態でありＳＷ１及びＳＷ２もオフ状態であり各電流源電流も流れていない状態とする。このとき、再生ヘッド１９のバイアス電流はゼロであり再生ヘッド端子の電圧もゼロである。ＳＷ３は待機モード時にはオンする構成にしておりコンデンサＣ１には予め想定される電圧、すなわち再生モード時のＢ点のＤＣ電圧レベルＶｂと同電位である（数５）で表される電圧を電圧源２６で生成し与えられている。
【００３９】
【数５】
2005190549.tif 000007
次に、モードコントロール信号入力が切り替わり動作モードに入るとＳＷ２はオン状態になり、再生ヘッド１９に電流が印加され再生ヘッド端子の電圧および図５中のＢ点電位は（数５）で表される定常値に回復する。また、ＳＷ３はモードコントロール信号入力が切り替わり動作モードに入るとオフとなり、コンデンサＣ１とｇｍアンプ１８との接続点であるＡ点電圧は、電圧源２６で与えられた電圧であるほぼＶｂと同電位からスタートすることになる。モード切り替えのパルス発生器２５はモード変化後任意のパルス幅を持ったパルスを出力しＳＷ１を制御する。これにより一定時間ｇｍ値を変化させｇｍアンプ１８とコンデンサＣ１で決まるＬＰＦの時定数を変化させてアンプ１７の基準側入力電圧の追従性を上げている。
【００４０】
モード切り替え時のアンプ出力回復時間ｔｄ２は（数６）で表される。
【００４１】
【数６】
2005190549.tif 000008
前述の（数４）で表されるｔｄ１と同様になるがΔＶＡがゼロに近い値となり、逆に再生ヘッド端子の電圧の回復時間すなわちＢ点電圧の回復時間が支配的となることが起こり得る。図５中Ａ点の電位がＢ点の電位に近づきアンプ１７の入力ダイナミックレンジ内に入れば通常アンプとして動作し再生信号が出力される。
【００４２】
図６は本実施の形態４おける各信号の波形を示すタイミングチャートである。図６に示す波形（ａ）はモードコントロール信号入力でありＳＷ１及びＳＷ２がオフ状態からオン状態への変化、すなわちあるモードから再生モードへのモード変化を表している。波形（ｂ）はパルス発生器２５の出力であり図５におけるＣ点の波形を表しており、波形（ａ）のモード切り替え信号のモード切り替え時に任意に設定された時間ｔｒだけパルスを発生させるものでありエッジ検出である。
【００４３】
波形（ｃ）は再生ヘッドバイアス電流でありモード切り替わり時即座に切り替わる。波形（ｄ）はｇｍアンプ１８のｇｍ値を決定するための電流Ｉgmであり、波形（ｂ）がＨｉｇｈレベルの区間すなわちモードが切り替わってから時間ｔｒの間ＩｇｍはＩ２＋Ｉ３の電流値となりｇｍ値を変化させることでｇｍアンプとコンデンサＣ１で決まる応答速度を早めて再生回路の回復時間を短くしている。
【００４４】
このような制御によって得られるアンプ１７の入力の波形、すなわち図５におけるＡ点及びＢ点の波形（ｅ）に示す。Ｂ点の電位は波形（ｃ）に示す再生ヘッドバイアス電流の応答と同様に即座に回復し再生信号が入力される。ただし、本タイミングチャートにおける再生信号は単純化のため正弦波としている。Ａ点の電位は非動作時もＳＷ３と電圧源２６によって想定されるＩbias×Ｒmr＋２Ｖｄの値に近くなるような電圧が与えられ、この電圧からの回復となり、回復時間はＢ点の回復時間にも依存するようになる。また、ｇｍアンプ１８とコンデンサＣ１によっても決定され波形（ｅ）に示すような波形となり、実施の形態４に対してもさらなる回復時間の高速化を実現できる。波形（ｆ）はＡ点及びＢ点の入力を受けてのアンプ出力でありＡ点の電位がアンプの入力ダイナミックレンジ内にまで回復すると信号は出力される。
【産業上の利用可能性】
【００４５】
本発明に係る磁気ディスク装置は、ｇｍアンプとコンデンサを用いて再生ヘッド端子の電圧（ＤＣレベル）をアンプの基準側（他方の入力端）へフィードバックし、さらに待機モード等からのモード切り替え時にｇｍアンプのｇｍ値を任意の時間だけ変化させ回路動作の回復時間を高速化できる信号再生アンプ回路と、再生ヘッドが開放状態等の異常時、ダイオードにバイアス電流を流して再生ヘッド端子電圧を固定し、この電圧をコンパレータで比較して異常を検出する再生ヘッド異常検出器を有し、磁気抵抗効果型磁気ヘッドを用いた磁気ディスク装置等に用いて有用である。
【図面の簡単な説明】
【００４６】
【図１】本発明の実施の形態１における磁気ディスク装置の概略構成を示す図
【図２】本発明の実施の形態２における磁気ディスク装置の概略構成を示す図
【図３】本発明の実施の形態３における磁気ディスク装置の概略構成を示す図
【図４】本実施の形態３における各信号の波形を示すタイミングチャート
【図５】本発明の実施の形態４における磁気ディスク装置の概略構成を示す図
【図６】本実施の形態４における各信号の波形を示すタイミングチャート
【図７】従来の磁気ディスク装置の概略構成を示す図
【符号の説明】
【００４７】
２，１２，２３，２４  電流源
４，１７  アンプ
６，１６，２６  電圧源
９．１９  再生ヘッド
１１  再生アンプ部
１３  異常検出器
１４  コンパレータ
１５，２１，２２  ダイオード
１８  ｇｍアンプ
２５  パルス発生器
【図１】
2005190549.tif 000009
【図２】
2005190549.tif 000010
【図３】
2005190549.tif 000011
【図４】
2005190549.tif 000012
【図５】
2005190549.tif 000013
【図６】
2005190549.tif 000014
【図７】
2005190549.tif 000015